(57)【要約】  【課題】  デジタル衛星テレビジョン放送や地上波デジタルテレビジョン放送における時刻別番組表を使い易くし、所望の番組の検索あるいは所望の番組の予約を簡単な操作で行うことができる番組検索予約装置を提供する。  【解決手段】  現在時刻（例えば午後９：００）に基づいて番組を予約するために選択された番組表が表示される（ａ）。右（チャンネル軸方向）へ順次スクロールすると、最初に表示された番組表（ａ）においてカーソルで指定された番組「行列のできる・・・」の放送時間「午後９：００〜９：５４」の時間を含む放送時間の番組が他チャンネルでも最初に表示される（ｂ）（ｃ）（ｄ）（ｅ）。そして、最初の番組表に戻すときは、続いて右へスクロールして行くと、最初の番組表に戻る（ａ）。また、下（時間軸方向）へスクロールすると、表示されている番組表の放送時間が後の方へ移動して、その番組が表示される。【選択図】      図３
2006238392.tif 000002
【特許請求の範囲】
【請求項１】
テレビジョン放送局から受信した映像音声情報に含まれる番組情報に基づいて時刻別の
番組表をテレビジョン受信機の表示部に表示させることが可能で、所望の番組を検索した
り、あるいは所望の番組を予約したりすることができる番組検索予約処理装置において、
現在時刻に基づいて目的の番組を検索するために選択された番組表を前記表示部に表示
させる番組表表示手段と、前記番組表の最初に有る番組および放送時間に第１カーソルを
設定する第１カーソル設定手段と、次の目的の番組を検索するためになされたスクロール
操作に応じて表示される各チャンネルの番組表をチャンネル軸方向に移動させたり、当該
番組表において番組を時間軸方向に移動させたりすると共に、当該番組表の移動の際に前
記第１カーソルで設定された番組の放送時間を含む放送時間の番組を当該番組表の最初に
持って来るように移動させる番組表／番組移動手段と、前記移動させて表示された番組表
に目的の番組が無かった場合には、検索方法を選択するための選択操作に応答して、初期
位置の番組表に戻す検索方法によって同様に目的の番組を検索するか、あるいはキーワー
ドなどを用いた違う検索方法によって同様に目的の番組を検索するかの設定を行う検索方
法設定手段と、前記移動させて表示された番組表に目的の番組が有った場合には、第２カ
ーソルの操作に応答して前記次の目的の番組に第２カーソルを設定する第２カーソル設定
手段とを有する検索処理部と、
現在時刻に基づいて番組を予約するために選択された番組表を前記表示部に表示させる
予約用番組表表示手段と、前記番組表において最初の番組選択カーソルが任意な位置に或
る場合に目的の番組を検索するとき第１カーソルの操作に応答して該目的の番組に第１カ
ーソルを設定する予約用第１カーソル設定手段と、目的の番組を検索して予約するために
なされたスクロール操作に応じて表示される各チャンネルの番組表をチャンネル軸方向に
移動させたり、当該番組表において番組を時間軸方向に移動させたりすると共に、前記ス
クロール時の番組の移動位置は最初の任意の放送時間を含む番組を基準として各番組を移
動させる予約用番組表／番組移動手段と、前記移動させて表示された番組表に目的の番組
が無かった場合には、検索方法を選択するための選択操作に応答して、初期位置に戻る検
索方法によって目的の番組を検索するか、あるいはキーワードなどを用いた違う検索方法
によって目的の番組を検索するかの設定を行う予約用検索方法設定手段と、前記移動させ
て表示された番組表に目的の番組が有った場合には、第２カーソルの操作に応答して前記
目的の番組に第２カーソルを設定する予約用第２カーソル設定手段とを有する予約処理部
とを備えたことを特徴とする番組検索予約処理装置。
【請求項２】
テレビジョン放送局から受信した映像音声情報に含まれる番組情報に基づいて時刻別の
番組表をテレビジョン受信機の表示部に表示させることが可能で、所望の番組を検索した
り、あるいは所望の番組を予約したりすることができる番組検索予約処理装置において、
目的の番組を検索するためになされたスクロール操作に応じて各チャンネルの番組表また
は／および番組の表示を移動させると共に、前記スクロール時の番組の移動位置は最初の
放送時間を含む番組を移動させ、表示された番組表に目的の番組が無かった場合には、初
期位置に戻る検索方法によって目的の番組を検索することもできる検索処理部と、目的の
番組を検索して予約するためになされたスクロール操作に応じて各チャンネルの番組表ま
たは／および番組の表示を移動させると共に、前記スクロール時の番組の移動位置は最初
の任意の放送時間を含む番組を基準として各番組を移動させ、表示された番組表に目的の
番組が無かった場合には、初期位置に戻る検索方法によって目的の番組を検索して予約す
ることもできる予約処理部とを備えたことを特徴とする番組検索予約処理装置。
【請求項３】
前記検索処理部は、現在時刻に基づいて目的の番組を検索するために選択された番組表
を前記表示部に表示させる番組表表示手段と、前記番組表の最初に有る番組および放送時
間に第１カーソルを設定する第１カーソル設定手段と、次の目的の番組を検索するために
なされたスクロール操作に応じて表示される各チャンネルの番組表をチャンネル軸方向に
移動させたり、当該番組表において番組を時間軸方向に移動させたりすると共に、当該番
組表の移動の際に前記第１カーソルで設定された番組の放送時間を含む放送時間の番組を
当該番組表の最初に持って来るように移動させる番組表／番組移動手段と、前記移動させ
て表示された番組表に目的の番組が無かった場合には、検索方法を選択するための選択操
作に応答して、初期位置の番組表に戻す検索方法によって同様に目的の番組を検索するか
、あるいはキーワードなどを用いた違う検索方法によって同様に目的の番組を検索するか
の設定を行う検索方法設定手段と、前記移動させて表示された番組表に目的の番組が有っ
た場合には、第２カーソルの操作に応答して前記次の目的の番組に第２カーソルを設定す
る第２カーソル設定手段とを有することを特徴とする請求項２に記載の番組検索予約処理
装置。
【請求項４】
前記予約処理部は、現在時刻に基づいて番組を予約するために選択された番組表を前記
表示部に表示させる予約用番組表表示手段と、前記番組表において最初の番組選択カーソ
ルが任意な位置に或る場合に目的の番組を検索するとき第１カーソルの操作に応答して該
目的の番組に第１カーソルを設定する予約用第１カーソル設定手段と、目的の番組を検索
して予約するためになされたスクロール操作に応じて表示される各チャンネルの番組表を
チャンネル軸方向に移動させたり、当該番組表において番組を時間軸方向に移動させたり
すると共に、前記スクロール時の番組の移動位置は最初の任意の放送時間を含む番組を基
準として各番組を移動させる予約用番組表／番組移動手段と、前記移動させて表示された
番組表に目的の番組が無かった場合には、検索方法を選択するための選択操作に応答して
、初期位置に戻る検索方法によって目的の番組を検索するか、あるいはキーワードなどを
用いた違う検索方法によって目的の番組を検索するかの設定を行う予約用検索方法設定手
段と、前記移動させて表示された番組表に目的の番組が有った場合には、第２カーソルの
操作に応答して前記目的の番組に第２カーソルを設定する予約用第２カーソル設定手段と
を有することを特徴とする請求項２に記載の番組検索予約処理装置。
【発明の詳細な説明】
【技術分野】
【０００１】
本発明は、テレビジョン放送局から受信した映像音声情報に含まれる番組情報に基づい
て時刻別の番組表をテレビジョン受信機の表示部に表示させることが可能で、所望の番組
を検索したり、あるいは所望の番組を予約したりすることができる番組検索予約処理装置
に関する。
【背景技術】
【０００２】
近年、放送衛星（ＢＳ：Ｂｒｏａｄｃａｓｔｉｎｇ  Ｓａｔｅｌｌｉｔｅ）や通信衛星
（ＣＳ：Ｃｏｍｍｕｎｉｃａｔｉｏｎ  Ｓａｔｅｌｌｉｔｅ）を用いたデジタル衛星テレ
ビジョン放送が普及しており、また、地上波デジタルテレビジョン放送も普及してきてい
る。これらのテレビジョン放送においては、視聴者サービスの一環として、番組表である
電子番組ガイド（ＥＰＧ：Ｅｌｅｃｔｒｏｎｉｃ  Ｐｒｏｇｒａｍ  Ｇｕｉｄｅ）が、映
像音声情報と共に送信されるようになっている。
【０００３】
図６は従来の番組検索予約処理装置を採用した例えばテレビジョン受信機における番組
表の表示方法を説明するための番組表を示す図である。この図６を参照して従来の番組検
索予約処理装置を採用した例えばテレビジョン受信機における番組表の表示方法について
説明する。
【０００４】
先ず、このテレビジョン受信機によりユーザが視聴したい番組を検索する際に、番組表
が表示部に表示されるが、その時に今日の番組表が例えば図６（ａ）に示すように表示さ
れる。図６（ａ）に示すように、番組表には、放送局がＡテレビであることが示され、表
示された番組に対してカーソルが一番上の「午後  ９：００〜９：５４  行列のできる・
・・」という部分に付けられている。したがって、ユーザは、カーソルが付けられている
「午後  ９：００〜９：５４  行列のできる・・・」という番組を予約することもできる
。
【０００５】
ところが、ユーザは他の放送局の番組を検索したい場合、次に図６（ａ）に示す番組表
に対して右（チャンネル軸方向）へスクロールすると、図６（ｂ）に示すような番組表が
表示部に表示される。この番組表には、放送局がＢテレビであることが示され、表示され
た番組に対してカーソルが一番上の「午後  ７：５３〜１０：０３  日曜ビッグバラエテ
ィ」という部分に付けられている。この場合、図６（ａ）で示した「午後  ９：００〜９
：５４  行列のできる・・・」という番組の放送時間「午後  ９：００〜９：５４」を含
む放送時間に有る番組「日曜ビッグバラエティ」を一番上に表示することになる。
【０００６】
次に、図６（ｂ）に示す番組表に対して、更に右へスクロールすると、図６（ｃ）に示
すような番組表が表示部に表示される。この番組表には、放送局がＣテレビであることが
示され、表示された番組に対してカーソルが一番上の「午後  ７：４５〜７：５５  映像
ファイル」という部分に付けられている。この場合、図６（ｂ）で示した「午後  ７：５
３〜１０：０３  日曜ビッグバラエティ」という番組の放送開始時刻である午後７：５３
を含む時間帯にある番組「映像ファイル」を一番上に表示することになる。
【０００７】
次に、図６（ｃ）に示す番組表に対して、更に右へスクロールすると、図６（ｄ）に示
すような番組表が表示部に表示される。この番組表には、放送局がＤテレビであることが
示され、表示された番組に対してカーソルが一番上の「午後  ７：００〜８：００  スー
パー・・・」という部分に付けられている。この場合、図６（ｃ）で示したように「午後
７：４５〜７：５５  映像ファイル・・・」という番組の放送開始時刻である午後７：
４５を含む時間帯にある番組「スーパー・・・」を一番上に表示することになる。この図
６（ｄ）に示すように、カーソルでマークされた番組「スーパー・・・」は、放送開始時
刻が午後７：００になるので、図６（ａ）に示すようにカーソルでマークされた番組「行
列のできる・・・」の放送開始時刻（午後９：００）よりも２時間前になり、即ち、最初
に検索された番組の時間帯よりも２時間前の番組に移ったことになる。
【０００８】
次に、最初のチャンネルまでスクロールすると、即ち放送局Ａの番組表が表示されるま
でスクロールすると、図６（ｅ）に示すような番組表が表示部に表示される。この番組表
には、放送局がＡテレビであることが示され、表示された番組に対してカーソルが一番上
の「午後  ６：００〜６：５５  真相報道・・・」という部分に付けられている。この場
合、カーソルでマークされた番組時間は、前のマークされた時間から３時間前の番組に移
ったことになり、最初に選んだ番組「行列のできる・・・」は、マークされた番組「真相
報道・・・」よりも４行下に下がったところに表示されることになる。
【特許文献１】特開平１１−２３４５８５号公報
【特許文献２】特開２００２−１７１４５４号公報
【特許文献３】特開２００４−２１４８２９号公報
【発明の開示】
【発明が解決しようとする課題】
【０００９】
しかしながら、このような従来の番組検索予約処理装置による番組表の表示方法では、
図６で説明したように、直前の番組表における放送時間帯を元に目的の番組を検索するた
めに別の放送局のチャンネルにスクロールする度に、番組表上の先頭の番組の時間帯が早
い時間帯に移って行き、最初に表示された番組表に対応する放送局のチャンネルに戻した
時には、その番組表には、元の放送時間帯から大きくずれた番組が一番上に表示される。
例えば、図６（ｅ）に示すように、元の番組表における放送時間帯（午後  ９：００〜９
：４５）の番組である「行列のできる・・・」は、別の放送局のチャンネルにスクロール
する度に、どんどん下に表示位置が下がって行き、表示可能な行数を超えると見失って目
的とする番組を捜し難くなり、あるいは例えば午後１０：００以降の番組は表示されない
ので、目的とする番組が表示されていない時間帯に在る場合も捜し難くなり、このために
、もう一度、複数回のスクロールなどにより検索をやり直して目的とする番組が表示でき
るようにしなければならないので、ユーザにとっては操作が煩わしくなるという課題があ
った。
【００１０】
なお、特許文献１の従来技術は、番組表をスクロールできると共に、番組予約した番組
開始時刻と終了時刻を予約番組時間帯として表示し、スクロールして番組表から消えても
、時間帯を表示している既予約番組から予約可能時間帯を確認できるようにしているが、
特定チャンネルの放送時間を記憶して元に戻ったときにそのチャンネルを表示するもので
ななく、したがって、目的の番組を検索するのにスクロール操作を何回もしなければなら
なくなり、操作が煩わしくなる。
【００１１】
特許文献２の従来技術では、番組情報はチャンネル番号上を縦軸または横軸、番号の放
送時間帯を横軸または縦軸とした番組名を示す番組表であり、この番組情報をチャンネル
軸方向、あるいは放送時間方向にスクロールできるようになっているが、これらのスクロ
ールは基本的なものであるので、上記のような課題を解決することができるものではない
。
【００１２】
特許文献３の従来技術では、番組構成内容データおよびタイムシフトの状態に関する情
報から表示すべき番組表示データを表示する表示手段は、タイムシフト視聴用に記録され
ている１つまたは複数のチャンネルの番組情報に対して番組表上で現在時刻よりも過去の
時間の番組情報をスクロールして表示することで、過去の番組の番組内容を確認できるよ
うにしているが、番組の検索に関する内容は開示されていない。
【００１３】
本発明は、上記のような課題を解決するためになされたもので、デジタル衛星テレビジ
ョン放送や地上波デジタルテレビジョン放送における時刻別番組表を使い易くし、所望の
番組の検索あるいは所望の番組の予約を簡単な操作で行うことができる番組検索予約装置
を提供することを目的とする。
【課題を解決するための手段】
【００１４】
上記目的を達成するために、請求項１の発明は、現在時刻に基づいて目的の番組を検索
するために選択された番組表を前記表示部に表示させる番組表表示手段と、前記番組表の
最初に有る番組および放送時間に第１カーソルを設定する第１カーソル設定手段と、次の
目的の番組を検索するためになされたスクロール操作に応じて表示される各チャンネルの
番組表をチャンネル軸方向に移動させたり、当該番組表において番組を時間軸方向に移動
させたりすると共に、当該番組表の移動の際に前記第１カーソルで設定された番組の放送
時間を含む放送時間の番組を当該番組表の最初に持って来るように移動させる番組表／番
組移動手段と、前記移動させて表示された番組表に目的の番組が無かった場合には、検索
方法を選択するための選択操作に応答して、初期位置の番組表に戻す検索方法によって同
様に目的の番組を検索するか、あるいはキーワードなどを用いた違う検索方法によって同
様に目的の番組を検索するかの設定を行う検索方法設定手段と、前記移動させて表示され
た番組表に目的の番組が有った場合には、第２カーソルの操作に応答して前記次の目的の
番組に第２カーソルを設定する第２カーソル設定手段とを有する検索処理部と、現在時刻
に基づいて番組を予約するために選択された番組表を前記表示部に表示させる予約用番組
表表示手段と、前記番組表において最初の番組選択カーソルが任意な位置に或る場合に目
的の番組を検索するとき第１カーソルの操作に応答して該目的の番組に第１カーソルを設
定する予約用第１カーソル設定手段と、目的の番組を検索して予約するためになされたス
クロール操作に応じて表示される各チャンネルの番組表をチャンネル軸方向に移動させた
り、当該番組表において番組を時間軸方向に移動させたりすると共に、前記スクロール時
の番組の移動位置は最初の任意の放送時間を含む番組を基準として各番組を移動させる予
約用番組表／番組移動手段と、前記移動させて表示された番組表に目的の番組が無かった
場合には、検索方法を選択するための選択操作に応答して、初期位置に戻る検索方法によ
って目的の番組を検索するか、あるいはキーワードなどを用いた違う検索方法によって目
的の番組を検索するかの設定を行う予約用検索方法設定手段と、前記移動させて表示され
た番組表に目的の番組が有った場合には、第２カーソルの操作に応答して前記目的の番組
に第２カーソルを設定する予約用第２カーソル設定手段とを有する予約処理部とを備えた
ことを特徴とする番組検索予約処理装置を提供する。
【００１５】
この構成において、番組の検索処理は検索処理部により行われ、番組の予約処理は予約
処理部により行われる。検索処理部においては、現在時刻に基づいて目的の番組を検索す
るために選択された番組表が番組表表示手段により表示部に表示され、前記番組表の最初
に有る番組および放送時間に第１カーソルが第１カーソル設定手段により設定される。そ
して、スクロール操作に応じて表示される各チャンネルの番組表は、番組表／番組移動手
段により、チャンネル軸方向に移動すると共に、当該番組表の移動の際に前記第１カーソ
ルで設定された番組の放送時間を含む放送時間の番組は、当該番組表の最初に持って来る
ように時間軸方向に移動する。
【００１６】
前記移動させて表示された番組表に目的の番組が無かった場合には、検索方法を選択す
るための選択操作に応答して、初期位置の番組表に戻す検索方法によって同様に目的の番
組を検索するか、あるいはキーワードなどを用いた違う検索方法によって同様に目的の番
組を検索するかの設定が検索方法設定手段により行われる。前記移動させて表示された番
組表に目的の番組が有った場合には、第２カーソルの操作に応答して前記次の目的の番組
に第２カーソルが第２カーソル設定手段により設定される。
【００１７】
予約処理部においては、現在時刻に基づいて番組を予約するために選択された番組表が
予約用番組表表示手段により表示部に表示される。前記番組表において最初の番組選択カ
ーソルが任意な位置に或る場合に目的の番組を検索するとき、第１カーソルの操作に応答
して該目的の番組に第１カーソルが予約用第１カーソル設定手段により設定される。そし
て、目的の番組を検索して予約するためになされたスクロール操作に応じて各チャンネル
の番組表は、予約用番組表／番組移動手段により、チャンネル軸方向に移動すると共に、
前記スクロール時の番組の移動位置は最初の任意の放送時間を含む番組を基準として各番
組が時間軸方向に移動する。
【００１８】
前記移動させて表示された番組表に目的の番組が無かった場合には、検索方法を選択す
るための選択操作に応答して、初期位置に戻る検索方法によって目的の番組を検索するか
、あるいはキーワードなどを用いた違う検索方法によって目的の番組を検索するかの設定
が予約用検索方法設定手段により行われる。前記移動させて表示された番組表に目的の番
組が有った場合には、第２カーソルの操作に応答して前記目的の番組に第２カーソルが予
約用第２カーソル設定手段により設定される。
【００１９】
この構成によれば、番組の検索処理においては、スクロール時の番組の移動位置は最初
の放送時間を含む番組を移動させ、表示された番組表に目的の番組が無かった場合には、
初期位置に戻って目的の番組を検索することもできるので、所望の番組の検索を簡単な操
作で行うことができ、また、番組の予約処理においては、スクロール時の番組の移動位置
は最初の任意の放送時間を含む番組を基準として各番組を移動させ、表示された番組表に
目的の番組が無かった場合には、初期位置に戻って目的の番組を検索して予約することも
できるので、所望の番組の予約を簡単な操作で行うことができる。
【００２０】
請求項２の発明は、目的の番組を検索するためになされたスクロール操作に応じて各チ
ャンネルの番組表または／および番組の表示を移動させると共に前記スクロール時の番組
の移動位置は最初の放送時間を含む番組を移動させ、表示された番組表に目的の番組が無
かった場合には、初期位置に戻る検索方法によって目的の番組を検索することもできる検
索処理部と、目的の番組を検索して予約するためになされたスクロール操作に応じて各チ
ャンネルの番組表または／および番組の表示を移動させると共に前記スクロール時の番組
の移動位置は最初の任意の放送時間を含む番組を基準として各番組を移動させ、表示され
た番組表に目的の番組が無かった場合には、初期位置に戻る検索方法によって目的の番組
を検索して予約することもできる予約処理部とを備えたことを特徴とする番組検索予約処
理装置を提供する。
【００２１】
この構成において、検索処理部の処理により、目的の番組を検索するためになされたス
クロール操作に応じて各チャンネルの番組表または／および番組の表示が移動すると共に
、前記スクロール時の番組の移動位置は最初の放送時間を含む番組が移動し、表示された
番組表に目的の番組が無かった場合には、初期位置に戻る検索方法によって目的の番組を
検索することもできる。
【００２２】
この構成によれば、番組の検索処理においては、スクロール時の番組の移動位置は最初
の放送時間を含む番組を移動させ、表示された番組表に目的の番組が無かった場合には、
初期位置に戻って目的の番組を検索することもできるので、所望の番組の検索を簡単な操
作で行うことができる。
【００２３】
また、この構成において、予約処理部の処理により、目的の番組を検索して予約するた
めになされたスクロール操作に応じて各チャンネルの番組表または／および番組の表示が
移動すると共に、前記スクロール時の番組の移動位置は最初の任意の放送時間を含む番組
を基準として各番組が移動し、表示された番組表に目的の番組が無かった場合には、初期
位置に戻る検索方法によって目的の番組を検索して予約することもできる。
【００２４】
この構成によれば、番組の予約処理においては、スクロール時の番組の移動位置は最初
の任意の放送時間を含む番組を基準として各番組が移動し、表示された番組表に目的の番
組が無かった場合には、初期位置に戻る検索方法によって目的の番組を検索して予約する
こともできるので、所望の番組の予約を簡単な操作で行うことができる。
【００２５】
請求項３の発明では、請求項２の発明において、前記検索処理部は、現在時刻に基づい
て目的の番組を検索するために選択された番組表を前記表示部に表示させる番組表表示手
段と、前記番組表の最初に有る番組および放送時間に第１カーソルを設定する第１カーソ
ル設定手段と、次の目的の番組を検索するためになされたスクロール操作に応じて表示さ
れる各チャンネルの番組表をチャンネル軸方向に移動させたり、当該番組表において番組
を時間軸方向に移動させたりすると共に、当該番組表の移動の際に前記第１カーソルで設
定された番組の放送時間を含む放送時間の番組を当該番組表の最初に持って来るように移
動させる番組表／番組移動手段と、前記移動させて表示された番組表に目的の番組が無か
った場合には、検索方法を選択するための選択操作に応答して、初期位置の番組表に戻す
検索方法によって同様に目的の番組を検索するか、あるいはキーワードなどを用いた違う
検索方法によって同様に目的の番組を検索するかの設定を行う検索方法設定手段と、前記
移動させて表示された番組表に目的の番組が有った場合には、第２カーソルの操作に応答
して前記次の目的の番組に第２カーソルを設定する第２カーソル設定手段とを有する検索
処理部とを有する。
【００２６】
したがって、番組の検索処理においては、スクロール時の番組の移動位置は最初の放送
時間を含む番組を移動させ、表示された番組表に目的の番組が無かった場合には、初期位
置に戻って目的の番組を検索することもできる。
【００２７】
請求項４の発明では、請求項２の発明において、前記予約処理部は、現在時刻に基づい
て番組を予約するために選択された番組表を前記表示部に表示させる予約用番組表表示手
段と、前記番組表において最初の番組選択カーソルが任意な位置に或る場合に目的の番組
を検索するとき第１カーソルの操作に応答して該目的の番組に第１カーソルを設定する予
約用第１カーソル設定手段と、目的の番組を検索して予約するためになされたスクロール
操作に応じて表示される各チャンネルの番組表をチャンネル軸方向に移動させたり、当該
番組表において番組を時間軸方向に移動させたりすると共に、前記スクロール時の番組の
移動位置は最初の任意の放送時間を含む番組を基準として各番組を移動させる予約用番組
表／番組移動手段と、前記移動させて表示された番組表に目的の番組が無かった場合には
、検索方法を選択するための選択操作に応答して、初期位置に戻る検索方法によって目的
の番組を検索するか、あるいはキーワードなどを用いた違う検索方法によって目的の番組
を検索するかの設定を行う予約用検索方法設定手段と、前記移動させて表示された番組表
に目的の番組が有った場合には、第２カーソルの操作に応答して前記目的の番組に第２カ
ーソルを設定する予約用第２カーソル設定手段とを有する。
【００２８】
したがって、番組の予約処理においては、スクロール時の番組の移動位置は最初の任意
の放送時間を含む番組を基準として各番組が移動し、表示された番組表に目的の番組が無
かった場合には、初期位置に戻る検索方法によって目的の番組を検索して予約することも
できる。
【発明の効果】
【００２９】
以上のように本発明によれば、現在時刻に基づいて目的の番組を検索するために選択さ
れた番組表を前記表示部に表示させる番組表表示手段と、前記番組表の最初に有る番組お
よび放送時間に第１カーソルを設定する第１カーソル設定手段と、次の目的の番組を検索
するためになされたスクロール操作に応じて表示される各チャンネルの番組表をチャンネ
ル軸方向に移動させたり、当該番組表において番組を時間軸方向に移動させたりすると共
に、当該番組表の移動の際に前記第１カーソルで設定された番組の放送時間を含む放送時
間の番組を当該番組表の最初に持って来るように移動させる番組表／番組移動手段と、前
記移動させて表示された番組表に目的の番組が無かった場合には、検索方法を選択するた
めの選択操作に応答して、初期位置の番組表に戻す検索方法によって同様に目的の番組を
検索するか、あるいはキーワードなどを用いた違う検索方法によって同様に目的の番組を
検索するかの設定を行う検索方法設定手段と、前記移動させて表示された番組表に目的の
番組が有った場合には、第２カーソルの操作に応答して前記次の目的の番組に第２カーソ
ルを設定する第２カーソル設定手段とを有する検索処理部と、現在時刻に基づいて番組を
予約するために選択された番組表を前記表示部に表示させる予約用番組表表示手段と、前
記番組表において最初の番組選択カーソルが任意な位置に或る場合に目的の番組を検索す
るとき第１カーソルの操作に応答して該目的の番組に第１カーソルを設定する予約用第１
カーソル設定手段と、目的の番組を検索して予約するためになされたスクロール操作に応
じて表示される各チャンネルの番組表をチャンネル軸方向に移動させたり、当該番組表に
おいて番組を時間軸方向に移動させたりすると共に、前記スクロール時の番組の移動位置
は最初の任意の放送時間を含む番組を基準として各番組を移動させる予約用番組表／番組
移動手段と、前記移動させて表示された番組表に目的の番組が無かった場合には、検索方
法を選択するための選択操作に応答して、初期位置に戻る検索方法によって目的の番組を
検索するか、あるいはキーワードなどを用いた違う検索方法によって目的の番組を検索す
るかの設定を行う予約用検索方法設定手段と、前記移動させて表示された番組表に目的の
番組が有った場合には、第２カーソルの操作に応答して前記目的の番組に第２カーソルを
設定する予約用第２カーソル設定手段とを有する予約処理部とを備えたので、番組の検索
処理においては、スクロール時の番組の移動位置は最初の放送時間を含む番組を移動させ
、表示された番組表に目的の番組が無かった場合には、初期位置に戻って目的の番組を検
索することもでき、これにより、所望の番組の検索を簡単な操作で行うことができ、また
、番組の予約処理においては、スクロール時の番組の移動位置は最初の任意の放送時間を
含む番組を基準として各番組を移動させ、表示された番組表に目的の番組が無かった場合
には、初期位置に戻って目的の番組を検索して予約することもでき、これにより、所望の
番組の予約を簡単な操作で行うことができる。
【００３０】
また、本発明によれば、目的の番組を検索するためになされたスクロール操作に応じて
各チャンネルの番組表または／および番組の表示を移動させると共に、前記スクロール時
の番組の移動位置は最初の放送時間を含む番組を移動させ、表示された番組表に目的の番
組が無かった場合には、初期位置に戻る検索方法によって目的の番組を検索することもで
きる検索処理部と、目的の番組を検索して予約するためになされたスクロール操作に応じ
て各チャンネルの番組表または／および番組の表示を移動させると共に、前記スクロール
時の番組の移動位置は最初の任意の放送時間を含む番組を基準として各番組を移動させ、
表示された番組表に目的の番組が無かった場合には、初期位置に戻る検索方法によって目
的の番組を検索して予約することもできる予約処理部とを備えたので、番組の検索処理に
おいては、所望の番組の検索を簡単な操作で行うことができ、また、番組の予約処理にお
いては、所望の番組の予約を簡単な操作で行うことができる。
【発明を実施するための最良の形態】
【００３１】
以下、添付図面を参照しつつ、本発明の実施の形態について説明する。図１は本発明の
一実施形態に係る番組検索予約処理装置を採用した例えばデジタル放送受信用のテレビジ
ョン受信機の構成を示すブロック図である。
【００３２】
このテレビジョン受信機は、チューナ部１、デスクランブラ２、デマルチプレクサ３、
ビデオデコーダ４、オーディオデコーダ５、ＥＰＧデコーダ６、メモリ７、ＥＰＧ画面構
成部８、表示制御部９、デジタル／アナログ変換部（ＤＡＣ）１０、画像表示部１２、音
声出力部１３、操作部１４、受光部１５、リモコン１６、ＩＣカード制御部１７、システ
ム制御部１８、カーソル指定判定部１９、カーソル発生部２０、スクロール制御部２１、
および番組検索予約処理装置２３を備え、これらの構成要素はシステムバス１１を介して
接続されている。
【００３３】
このテレビジョン受信機の一連の動作を説明すると、先ず、チューナ部１は、アンテナ
からのデータを受信し、当該受信データの復調や誤り訂正などの処理を行う。デスクラン
ブラ２は、チューナ部１での処理後のデータ（トランスポートストリーム（ＴＳ））に対
して視聴制限のためのスクランブラがかけられていた場合、ＩＣカード制御部１７からの
情報および当該ＴＳに含まれる情報に基づき、当該ＴＳのスクランブルを解除する。
【００３４】
デマルチプレクサ３は、デスクランブラ２からのＴＳ、即ち複数チャンネル分の映像デ
ータ、音声データ、およびＥＰＧデータなどが時分割多重化されているＴＳから、ユーザ
より選択されたチャンネルの映像データＤ１、音声データＤ２、およびＥＰＧデータＤ３
を取り出し、映像データＤ１をビデオデコーダ４に供給し、音声データＤ２をオーディオ
デコーダ５に供給し、ＥＰＧデータＤ３を一旦メモリ７に格納する。
【００３５】
オーディオデコーダ５は、デマルチプレクサ３からの音声データＤ２を復号化してＤＡ
Ｃ１０に出力する。ＤＡＣ１０は、オーディオデコーダ５の出力データをアナログ化し、
このアナログ化された音声信号を音声出力部１３を介して出力する。ビデオデコーダ４は
、デマルチプレクサ３からの映像データＤ１（ＭＰＥＧ２などにより符号化されたデータ
）を復号化し、当該復号化後の映像データＤ１を表示制御部９に供給する。
【００３６】
メモリ７に格納されたＥＰＧデータＤ３は、システム制御部１８の制御により、ユーザ
からＥＰＧ画面の表示指示がなされた場合に、ＥＰＧデコーダ６に供給される。ＥＰＧデ
コーダ６は、スクロール制御部２１の制御に従って、メモリ７からのＥＰＧデータＤ３を
復号化することによって、ＥＰＧ表示データＤ４を生成し、このＥＰＧ表示データＤ４を
ＥＰＧ画面構成部８に供給する。
【００３７】
ＥＰＧ画面構成部８は、スクロール制御部２１の制御に従って、ＥＰＧデコーダ６から
のＥＰＧ表示データＤ４を用いてＥＰＧ画面を構成し、このＥＰＧ画面のデータを表示制
御部９に供給する。表示制御部９は、ＥＰＧ画面構成部８からのＥＰＧ画面のデータと、
ビデオデコーダ４からの復号化後の映像データとを切り換えて、ＥＰＧ画面のデータによ
る画像、または復号化後の映像データによる画像を画像表示部１２に表示させる。また、
表示制御部９は、ＥＰＧ画面を画像表示部１２にＯＳＤ（Ｏｎ  Ｓｃｒｅｅｎ  Ｄｉｓｐ
ｌａｙ）表示させるための制御も行う。
【００３８】
カーソル発生部２０は、ＥＰＧ画面などに表示されるカーソルを発生する。このカーソ
ルはリモコンの上／下／左／右方向キーの操作に従って画面上を移動する。カーソル指定
判別部１９は、カーソルで指定された位置を判別する。スクロール制御部２１は、カーソ
ル指定判別部１９からのカーソル位置情報に基づいてスクロール処理し、この後、表示が
必要なＥＰＧデータをＥＰＧデコーダ６に指定する。
【００３９】
したがって、ＥＰＧデコーダ６は、スクロール制御部２１により指定されたＥＰＧデー
タを、デマルチプレクサ３およびメモリ７を介して供給されたＴＳから取り出して復号化
した後、ＥＰＧ画面構成部８に対して送出する。ＥＰＧ画面構成部８は、ＥＰＧデコーダ
６からのデータを受け取り、そのデータからＥＰＧ画面を構成し、それを表示制御部９に
対して送出する。表示制御部９は、ＥＰＧ画面構成部８からのＥＰＧ画面を画像表示部１
２で表示させる。
【００４０】
本実施形態の特徴としての番組検索予約処理装置２３は、現在時刻に基づいて目的の番
組を検索するために選択された番組表を画像表示部１２に表示させる番組表表示手段と、
前記番組表の最初に有る番組および放送時間に第１カーソルを設定する第１カーソル設定
手段と、次の目的の番組を検索するためになされたスクロール操作に応じて表示される各
チャンネルの番組表をチャンネル軸方向に移動させたり、当該番組表において番組を時間
軸方向に移動させたりすると共に、当該番組表の移動の際に前記第１カーソルで設定され
た番組の放送時間を含む放送時間の番組を当該番組表の最初に持って来るように移動させ
る番組表／番組移動手段と、前記移動させて表示された番組表に目的の番組が無かった場
合には、検索方法を選択するための選択操作に応答して、初期位置の番組表に戻す検索方
法によって同様に目的の番組を検索するか、あるいはキーワードなどを用いた違う検索方
法によって同様に目的の番組を検索するかの設定を行う検索方法設定手段と、前記移動さ
せて表示された番組表に目的の番組が有った場合には、第２カーソルの操作に応答して前
記次の目的の番組に第２カーソルを設定する第２カーソル設定手段とを有する検索処理部
を備えている。
【００４１】
また、番組検索予約処理装置２３は、現在時刻に基づいて番組を予約するために選択さ
れた番組表を画像表示部１２に表示させる予約用番組表表示手段と、前記番組表において
最初の番組選択カーソルが任意な位置に或る場合に目的の番組を検索するとき第１カーソ
ルの操作に応答して該目的の番組に第１カーソルを設定する予約用第１カーソル設定手段
と、目的の番組を検索して予約するためになされたスクロール操作に応じて表示される各
チャンネルの番組表をチャンネル軸方向に移動させたり、当該番組表において番組を時間
軸方向に移動させたりすると共に、前記スクロール時の番組の移動位置は最初の任意の放
送時間を含む番組を基準として各番組を移動させる予約用番組表／番組移動手段と、前記
移動させて表示された番組表に目的の番組が無かった場合には、検索方法を選択するため
の選択操作に応答して、初期位置に戻る検索方法によって目的の番組を検索するか、ある
いはキーワードなどを用いた違う検索方法によって目的の番組を検索するかの設定を行う
予約用検索方法設定手段と、前記移動させて表示された番組表に目的の番組が有った場合
には、第２カーソルの操作に応答して前記目的の番組に第２カーソルを設定する予約用第
２カーソル設定手段とを有する予約処理部を備えている。
【００４２】
図２は本実施形態においてリモコンのキーを説明するための図である。図２において、
リモコン１６は、赤外線信号を発光する発光部２０１、チャンネル番号などを入力するた
めのテンキー２０２、ＥＰＧ画面を表示させるためのＥＰＧ表示キー２０３、画面上のカ
ーソルを上下左右に移動させるためのカーソルキー２０４ａ，２０４ｂ，２０４ｃ，２０
４ｄ、カーソルによって指定されている領域選択の決定を行うための決定キー２０５、お
よび画面などを選択するときに用いられる選択キー２０６を有している。
【００４３】
図３は本実施形態の番組検索予約処理装置を採用した例えばテレビジョン受信機におけ
る番組表の表示方法を説明するための番組表を示す図である。この図３を参照して本実施
形態の番組検索予約処理装置を採用した例えばテレビジョン受信機における番組表の表示
方法について説明する。
【００４４】
先ず、このテレビジョン受信機によりユーザが視聴したい番組を検索する際に、番組表
が画像表示部１２に表示されるが、その時に今日の番組表が例えば図３（ａ）に示すよう
に表示される。図３（ａ）に示すように、番組表には、放送局がＡテレビであることが示
され、表示された番組に対してカーソルが一番上の「午後  ９：００〜９：５４  行列の
できる・・・」という部分に付けられている。したがって、カーソルが付けられている「
午後  ９：００〜９：５４  行列のできる・・・」という番組を予約することもできる。
【００４５】
ところが、ユーザは他の放送局の番組を検索したい場合、次に図３（ａ）に示す番組表
に対して右へスクロールすると、図３（ｂ）に示すような番組表が画像表示部１２に表示
される。この番組表には、放送局がＢテレビであることが示され、表示された番組に対し
てカーソルが一番上の「午後  ７：５３〜１０：０３  日曜ビッグバラエティ」という部
分に付けられている。この場合、図３（ａ）で示した「午後  ９：００〜９：５４  行列
のできる・・・」という番組の放送時間帯を含む時間にある番組「日曜ビッグバラエティ
」を表示することになる。
【００４６】
次に、図３（ｂ）に示す番組表に対して、更に右へスクロールすると、図３（ｃ）に示
すような番組表が画像表示部１２に表示される。この番組表には、放送局がＣテレビであ
ることが示され、表示された番組に対してカーソルが一番上の「午後  ９：００〜１０：
００  Ｎ響アワー・・・」という部分に付けられている。この場合、図３（ａ）で示した
「午後  ９：００〜９：５４  行列のできる・・・」という番組の時間帯に近い番組を表
示することになる。
【００４７】
次に、図３（ｃ）に示す番組表に対して、更に右へスクロールすると、図３（ｄ）に示
すような番組表が画像表示部１２に表示される。この番組表には、放送局がＤテレビであ
ることが示され、表示された番組に対してカーソルが一番上の「午後  ９：００〜９：４
５  夫婦。」という部分に付けられている。この場合も、図３（ａ）で示した「午後  ９
：００〜９：５４  行列のできる・・・」という番組の時間帯に近い番組を表示すること
になる。
【００４８】
次に、最初のチャンネルまでスクロールすると、即ち放送局Ａの番組表が表示されるま
でスクロールすると、図３（ｅ）に示すような番組表が画像表示部１２に表示される。こ
の番組表には、放送局がＡテレビであることが示され、表示された番組に対してカーソル
が一番上の「午後  ９：００〜９：５４  行列のできる・・・」という部分に付けられて
いる。この場合も、また、図３（ａ）で示した「午後  ９：００〜９：５４  行列のでき
る・・・」という番組か、または一番近い時間帯の番組を表示することになる。
【００４９】
図４は本実施形態において番組を検索する際の処理を説明するためのフローチャートで
ある。このフローチャートを参照して番組を検索する際の処理について説明する。この処
理は、番組検索予約処理装置２３における検索処理部により実行される。
【００５０】
番組を検索する場合、ユーザがリモコン１６のＥＰＧ表示キー２０３を操作すると、番
組検索予約処理装置２３における検索処理部の番組表示手段は、チャンネル別の番組表の
うちの一つを選び画像表示部１２に表示する（ステップＳ１）。この番組表には、例えば
図３に示すように、チャンネル（放送局）、放送時間、およびその放送時間の番組のタイ
トルが表示される。この時、検索処理部の第１カーソル設定手段は、前記番組表の最初に
表示された番組を選択して、この番組に第１カーソルを設定する（ステップＳ２）。この
結果、例えば、図３（ａ）に示すように、今日現在の時刻を含む放送時間帯の番組（一番
上に表示された番組）が、カーソルで指示され、表示されることになる。
【００５１】
リモコン１６のカーソルキー２０４ａ，２０４ｂ，２０４ｃ，２０４ｄを操作してスク
ロールを行うことによって、目的とするチャンネルの番組表／番組を番組検索予約処理装
置２３における検索処理部の番組表／番組移動手段により移動させ、画像表示部１２に表
示させることができる。即ち、目的とする次の番組を検索するために（ステップＳ３）、
リモコン１６のカーソルキー２０４ａ，２０４ｂ，２０４ｃ，２０４ｄを操作して、左右
、上下にスクロール作業を行う（ステップＳ４）。
【００５２】
このスクロール作業において、例えば、図３において、右方向のスクロールは、Ａテレ
ビ、Ｂテレビ、Ｃテレビ、Ｄテレビ、・・・、Ａテレビ、Ｂテレビ、Ｃテレビ、Ｄテレビ
、・・・、Ａテレビと言うように切り換えられるチャンネル軸方向の移動であり、左方向
のスクロールは、Ａテレビ、・・・、Ｄテレビ、Ｃテレビ、Ｂテレビ、Ａテレビ、・・・
、Ｄテレビ、Ｃテレビ、Ｂテレビと言うように切り換えられる逆チャンネル軸方向の移動
である。
【００５３】
また、例えば図３（ｄ）に示すような番組表が表示されていて、この番組表の枠には、
「午後  ９：００〜９：４５  夫婦。」「午後  ９：４５〜１０：００  かつさゆ・・・
」「午後  １０：００〜１０：５４  世界ウルルン・・・」などが表示されていたとする
と、下方向にスクロールすると、放送時間が遅い番組が順次表示されて行き、更に下方向
のスクロールを続けて行くと、今日の残りの番組、明日、明後日、明々後日、・・・の番
組が順次表示されて行く。また、逆方向にスクロールすると、放送時間が早い番組（放送
が終わった番組）が順次表示されて行き、更に上方向のスクロールを続けて行くと、今日
の終わった番組、昨日、一昨日、・・・の番組が順次表示されて行く。
【００５４】
このように下方向や上方向にスクロールして行って、例えば最初の番組表に戻そうとし
た場合、従来では、上方向キーや下方向キーを押しぱなしにしたり、多数回押したりしな
ければならなっかたが、本実施形態の処理では、下記のステップＳ７の処理で一発に初期
位置（例えば最初の番組表）に戻すことが可能になる。
【００５５】
このように、リモコン１６のカーソルキー２０４ａ，２０４ｂ，２０４ｃ，２０４ｄを
操作して、左右、上下にスクロール作業を行い（ステップＳ４）、これによって違うチャ
ンネルにカーソルの表示が移動して目的の番組を検索することになるが、このように検索
するときに、例えば、真横に同じ放送時間帯で違うチャンネルに目的の番組が有れば（ス
テップＳ５）、次の番組の決定を第２カーソルの設定により行う（ステップＳ６）が、番
組表の表示枠から外れてしまって時間軸が違っていて、或るチャンネルに目的とする番組
が有っても表示されなければ、目的の番組が無い（ステップＳ５）と言うことになるので
、この場合には、もう一度、元の番組表に戻すか、もしくは或るチャンネルをぐるぐると
捜すかをしなければならない。
【００５６】
しかし、１チャンネル毎に捜すと、ここで言う検索にはならないので、違う検索方法に
より、例えば、キーワードによる検索方法により、検索を行ったり、あるいは元の位置に
戻ってもう一度検索を行ったりする。例えば、放送時間をもう一つ前の時間位にしてチャ
ンネルを変えることになるが、一番手っ取り早いのは、元の位置（初期位置）に早く戻し
て（ステップＳ７）、そこで時間軸を１時間とか２時間とかに早めて横にスライドして検
索を行う（ステップＳ３）。
【００５７】
ステップＳ７における検索方法の設定は、ユーザからのリモコン操作に従って、番組検
索予約処理装置２３における検索処理部の検索方法設定手段により行われる。そして、同
じように左右、上下のスクロール作業をして（ステップＳ４）、目的の番組を検索して、
目的の番組があれば（ステップＳ５）、その目的の番組を第２カーソルで設定して、その
番組を決定する（ステップＳ６）。このような番組の決定は、リモコン１６の決定キー２
０５を操作し、これに応答した番組検索予約処理装置２３における検索処理部の番組決定
手段により行われる。
【００５８】
ステップＳ７において、初期位置に戻り検索をしない場合は、他の番組の検索へ移る（
ステップＳ８）。この検索方法としては、次のような方法がある。即ち、キーワードによ
る検索は、左右、上下のスクロールをぐるぐる行っても、ユーザ自身で検索できないとき
に、例えば、番組のタイトルを入力して、このタイトルで検索するとか、時間軸で検索す
るとかの検索方法が通常はあるが、手っ取り早い検索方法としては、何時から目的の番組
があるとか、或るチャンネルを選ぶとかの検索方法がある。また、チャンネルが一度に全
部表示され、所望のチャンネルを選んで番組表を表示する検索方法もある。
【００５９】
図５は本実施形態において番組を検索して予約する際の処理を説明するためのフローチ
ャートである。このフローチャートを参照して番組を検索して予約する際の処理について
説明する。この処理は、番組検索予約処理装置２３における予約処理部により実行される
。
【００６０】
図５に示すフローチャートの処理は次のような処理を行うためのものである。先ず、ユ
ーザが視聴したい番組を検索する場合に、最初の番組選択カーソルが任意な位置に或ると
き（例えばステップＳ１０）、目的とする番組の検索を行って第１カーソルでその番組を
設定し（例えばステップＳ１１）、そこで、例えば、予約できる場合には、カーソルが示
す部分は、黒塗り表示したり、浮き出し表示したりなどして番組表が表示される。このよ
うな表示状態に番組表がなっているとき、検索したい番組が、現在、カーソルで示されて
いる番組の下の方に有ったとすると、リモコン１６の下方向のカーソルキー２０４ｂを操
作してカーソルを下方に移動させ（例えばステップＳ１２）、検索したい番組をカーソル
で指定し、決定キー２０５で決定操作をする（例えばステップＳ１５）。これにより、検
索したい番組が予約される。即ち、第１カーソル設定による第１の予約が完了したことに
なる。
【００６１】
その後、第２の予約の番組を検索する場合に、現在表示されている番組表には、その第
２の予約の番組が表示されていないとき、前記第１の予約の番組の位置を基準として、カ
ーソルをスクロールして第２の予約の番組を検索する。例えば、第１カーソルで番組を検
索したとすると、そこを基準にして違うチャンネルに変えて行った場合に目的の番組が有
ったとすると、次に第２カーソルで目的の番組を予約するが、その目的の番組が前記第１
カーソルで予約した番組よりも放送時間が前の放送時間に有ったとき、リモコン１６のキ
ー操作で簡単に前に戻せるようにしている（例えばステップＳ１６、ステップＳ１２、ス
テップＳ１３）。
【００６２】
予約した番組の箇所に赤マークを付けるとかの手法があるが、通常は単に検索だけで、
目的の番組を予約する場合や、予約した場合に、スクロールしたときに、番組予約の第１
カーソルの位置から違う位置へ検索を運んで、元の位置に戻して元の番組を見たいとき、
リモコン１６のカーソルキー２０４ａ，２０４ｂ，２０４ｃ，２０４ｄの操作で元の位置
に戻すことができるようにしている。基本的には、ユーザが番組を検索するときに、煩わ
しいリモコン１６の操作の手間をできるだけ省いて、目的とする番組を検索できるように
している。
【００６３】
図５に示すフローチャートの処理においては、番組の検索を行うが、検索をしたときに
番組予約することを前提としている。例えば、番組を検索して、或るチャンネルを予約し
たとし、更にもう１つ、２つというように同じチャンネルで明日、明後日などに放送され
る番組を予約する場合がある。この場合は、キーワード検索で番組を一発で見つければ、
後は今日、明日、明後日とか言うように毎日予約とか、あるいは毎週予約とかができるが
、目的とする番組が或るチャンネルに有ると言うように、チャンネルが違う場合に目的の
番組を検索するときに、最初に目的とするチャンネルの番組表を捜すところから（ステッ
プＳ９）、本処理が始まる。
【００６４】
最初の番組の選択カーソルは任意の位置に在り（ステップＳ１０）、表示されたチャン
ネルの番組表から目的とする番組を検索して第１カーソルで設定し（ステップＳ１１）、
次に、例えば、明日の何時に何かの番組が有ったと言うことで、番組を捜すが、捜すとき
に違うチャンネルであれば、例えば、右にスクロールして行くと、カーソルで指定される
番組は同じ時間帯の番組とは限らないので、目的の番組が番組表の枠から外れることがあ
る。このような事もあるので、上下のスクロールも行って目的の番組を捜そうとするが、
番組を捜すときに、時間帯が少しずれていて、番組表の枠の中から外れていて目的の番組
が無い場合は、もう一回、時間帯を何時間かずらして、今度は前回とは反対方向からスク
ロール作業を行う必要がある。
【００６５】
このスクロール作業は左、右と行わなければならないので、操作が煩わしくて手間がか
かる。これを回避するために、目的の番組が無かった場合は、初期位置に戻り検索を行う
（ステップＳ１６）。もしくは、初期位置に戻り検索を行わずに（ステップＳ１６）、キ
ーワードなどによる他の検索方法で他の番組の検索へ移る（ステップＳ１７）。そして、
目的の番組が有れば（ステップＳ１４）、即ち、第２の予約番組があれば、その予約番組
を第２カーソルで設定し（ステップＳ１５）、本処理は終了する。
【００６６】
前記ステップＳ１６およびステップＳ１２の処理において、異なるチャンネルで予約し
た場合の最初の番組を最初の番組表の初期位置に戻す場合、同じ時間軸のところをチャン
ネル軸方向（左または右）のスクロール（巡回によるスクロールの場合も有り）すれば、
最初に予約した番組を早く確認できるが、例えば、リモコン１６に戻しキーを設け、この
戻しキーを操作することにより、一発で元に戻るようにすれば、更に早く前記最初に予約
した番組を確認することができる。
【００６７】
以上説明したように、本実施形態によれば、番組の検索処理においては、スクロール時
の番組の移動位置は最初の放送時間を含む番組を移動させ、表示された番組表に目的の番
組が無かった場合には、初期位置に戻って目的の番組を検索することもできるので、所望
の番組の検索を簡単な操作で行うことができる。また、番組の予約処理においては、スク
ロール時の番組の移動位置は最初の任意の放送時間を含む番組を基準として各番組が移動
し、表示された番組表に目的の番組が無かった場合には、初期位置に戻る検索方法によっ
て目的の番組を検索して予約することもできるので、所望の番組の予約を簡単な操作で行
うことができる。
【００６８】
なお、上記実施形態では、デジタル衛星テレビジョン放送や地上波デジタルテレビジョ
ン放送を受信するテレビジョン受信機に番組検索予約処理装置を設けたものを示したが、
デジタル衛星テレビジョン放送や地上波デジタルテレビジョン放送を受信するチューナを
備えた光ディスク記録再生装置やハードディスク記録再生装置に前記番組検索予約装置を
設けても良い。
【図面の簡単な説明】
【００６９】
【図１】本発明の一実施形態に係る番組検索予約処理装置を採用した例えばデジタル放送受信用のテレビジョン受信機の構成を示すブロック図である。
【図２】前記実施形態においてリモコンのキーを説明するための図である。
【図３】前記実施形態の番組検索予約処理装置を採用した例えばテレビジョン受信機における番組表の表示方法を説明するための番組表を示す図である。
【図４】前記実施形態において番組を検索する際の処理を説明するためのフローチャートである。
【図５】前記実施形態において番組を検索して予約する際の処理を説明するためのフローチャートである。
【図６】従来の番組検索予約処理装置を採用した例えばテレビジョン受信機における番組表の表示方法を説明するための番組表を示す図である。
【符号の説明】
【００７０】
１２    画像表示部（テレビジョン受信機の表示部）
２３    番組検索予約装置（検索処理部、番組表示手段、第１カーソル設定手段、番組
表／番組移動手段、検索方法設定手段、第２カーソル設定手段、予約処理部、予約用番組
表示手段、予約用第１カーソル設定手段、予約用番組表／番組移動手段、予約用検索方法
設定手段、予約用第２カーソル設定手段）
【図１】
2006238392.tif 000003
【図２】
2006238392.tif 000004
【図３】
2006238392.tif 000005
【図４】
2006238392.tif 000006
【図５】
2006238392.tif 000007
【図６】
2006238392.tif 000008